(57)【要約】【課題】解除コードをユーザに知らせることなく、ユーザの利便性がさらに向上する画像形成装置及びプログラムを提供する。【解決手段】画像形成装置(1)による対象給紙段(4,6)からの給紙禁止命令を解除するためのデータを有した外部メディア(90)の接続を検知するメディア検知手段(52)と、データに沿って給紙禁止命令を解除し、解除された給紙段の用紙を用いて印刷処理を実行する処理実行手段(56)とを具備する。これにより、印刷時に装置の操作パネルから給紙禁止命令を解除しなくて済む。【選択図】図４
2009226666.tif 000002
【特許請求の範囲】
【請求項１】
画像形成装置による対象給紙段からの給紙禁止命令を解除するためのデータを有した外部メディアの接続を検知するメディア検知手段と、
該データに沿って前記給紙禁止命令を解除し、該解除された給紙段の用紙を用いて印刷処理を実行する処理実行手段と
を具備することを特徴とする画像形成装置。
【請求項２】
請求項１に記載の画像形成装置であって、
前記給紙段は、前記外部メディアに接続可能な接続部を備えており、
前記給紙禁止命令が維持されている対象給紙段の接続部に前記外部メディアを接続した場合には、前記処理実行手段は、該外部メディアに接続された給紙段に対する給紙禁止命令を解除し、該解除された給紙段の用紙を用いて印刷処理を実行していることを特徴とする画像形成装置。
【請求項３】
請求項１又は２に記載の画像形成装置であって、
前記給紙禁止命令を解除するためのデータは、前記給紙禁止命令が維持されている対象給紙段の用紙を用いて印刷処理を実行することにより、該用紙が送出停止状態に至った場合には、該送出停止状態を解消するためのデータとしても機能することを特徴とする画像形成装置。
【請求項４】
請求項１から３のいずれか一項に記載の画像形成装置であって、
前記外部メディアは、前記給紙段の意匠面に接続されていることを特徴とする画像形成装置。
【請求項５】
対象給紙段からの給紙禁止命令が可能な画像形成装置のプログラムであって、
該プログラムは、該装置のコンピュータに備えられており、該コンピュータに、
前記給紙禁止命令を解除するためのデータを有した外部メディアの接続を検知する手順と、
該データに沿って前記給紙禁止命令を解除し、該解除された給紙段の用紙を用いて印刷処理を実行する手順と
を実行させるためのプログラム。
【発明の詳細な説明】
【技術分野】
【０００１】
本発明は、プリンタや複合機等に用いられる画像形成装置及びプログラムに関するものである。
【背景技術】
【０００２】
この種の画像形成装置は、複数のクライアント機器とともに、例えばＬＡＮ等のネットワークに接続されている。そして、電子写真プロセスを用いた画像形成装置は、この機器からの印刷指示に応じて感光体ドラムを帯電し、このドラムの表面にレーザ光を照射して静電潜像を形成しており、現像されたトナー画像を用紙に転写及び定着している。
【０００３】
ここで、ユーザ作業の効率化を鑑み、上記機器からの印刷指示のみならず、当該装置に着脱可能なＵＳＢメモリを用いて所定の印刷物を得る技術が開示されている（例えば、特許文献１参照）。このように、ＵＳＢメモリを排紙トレイの他、装置本体の側面や給紙カセットにも接続可能に構成すれば、ユーザが装置の操作パネルから給紙段等の各種操作を指定する場合にも、ＵＳＢメモリが邪魔にならないし、装置本体の小型化も達成できる。
【０００４】
【特許文献１】特開２００７−２７１９８１号公報
【発明の開示】
【発明が解決しようとする課題】
【０００５】
ところで、上述の画像形成装置には、対象給紙段からの給紙を禁止する機能を備えている装置がある（カセットロック機能）。例えば会社の部門毎に用紙の使用枚数を管理したり、若しくは特殊紙を誤って使用させないようにするためである。
そして、当該機能は、ソフトウェアによる給紙段の禁則で設定され、その解除には、操作パネルからの解除コード（認証ＩＤ）の入力を要している。
【０００６】
この場合には、この装置のユーザは、ＵＳＢメモリを装置に接続する行為に加え、その操作パネルでカセットロック機能を解除する行為も必要になり、速やかに印刷物を得られないとの問題がある。
しかも、仮に、このＵＳＢメモリに複数の画像データが保存されており、これら各画像データから印刷物をそれぞれ得たい場合には、この印刷の度に操作パネルでカセットロック機能を解除しなければならない。
【０００７】
また、当該解除コードを管理者以外のユーザに知らせるのは、この装置のセキュリティ管理に対する懸念もある。
そこで、本発明の目的は、上記課題を解消し、解除コードをユーザに知らせることなく、ユーザの利便性がさらに向上する画像形成装置及びプログラムを提供することである。
【課題を解決するための手段】
【０００８】
上記目的を達成するための第１の発明は、画像形成装置による対象給紙段からの給紙禁止命令を解除するためのデータを有した外部メディアの接続を検知するメディア検知手段と、データに沿って給紙禁止命令を解除し、解除された給紙段の用紙を用いて印刷処理を実行する処理実行手段とを具備する。
【０００９】
第１の発明によれば、画像形成装置による対象給紙段からの給紙禁止命令を解除するが、この解除は外部メディアの接続に応じて行われる。
詳しくは、この外部メディアは、給紙禁止命令を解除するためのデータを有しており、メディア検知手段が外部メディアの接続を検知する。そして、処理実行手段が、このデータに沿って給紙禁止命令を解除し、解除された給紙段の用紙を用いて印刷処理を実行する。
【００１０】
このように、給紙禁止命令を解除するためのデータを外部メディアに保存しておき、この外部メディアを画像形成装置に接続すれば、このデータで画像形成装置の動作が可能になる。
これにより、装置のユーザは、印刷時に、しかも複数の画像データから印刷物をそれぞれ得たい場合にも、この印刷の度に画像形成装置の操作パネルから給紙禁止命令を解除しなくて済むので、従来に比してより一層速やかに印刷物を得ることができ、ユーザの利便性がさらに向上する。
また、従来の如く解除コードをユーザに知らせる必要もないので、装置のセキュリティ管理に対する懸念もない。
【００１１】
第２の発明は、第１の発明の構成において、給紙段は、外部メディアに接続可能な接続部を備えており、給紙禁止命令が維持されている対象給紙段の接続部に外部メディアを接続した場合には、処理実行手段は、外部メディアに接続された給紙段に対する給紙禁止命令を解除し、解除された給紙段の用紙を用いて印刷処理を実行していることを特徴とする。
第２の発明によれば、第１の発明の作用に加えてさらに、この外部メディアを給紙禁止命令が維持されている対象給紙段の接続部に接続することにより、この給紙段に対する給紙禁止命令が解除されるので、処理実行手段は印刷処理を速やかに実行できる。
【００１２】
第３の発明は、第１や第２の発明の構成において、給紙禁止命令を解除するためのデータは、給紙禁止命令が維持されている対象給紙段の用紙を用いて印刷処理を実行することにより、用紙が送出停止状態に至った場合には、この送出停止状態を解消するためのデータとしても機能することを特徴とする。
第３の発明によれば、第１や第２の発明の作用に加えてさらに、給紙禁止命令を解除するためのデータが、用紙の送出停止状態を解消するためのデータとしても機能する。よって、この外部メディアを画像形成装置に接続すれば、給紙禁止命令が解除と同時に、当該給紙段による用紙の送出停止状態も解消されるので、処理実行手段は印刷処理を速やかに再開できる。
【００１３】
第４の発明は、第１から第３の発明の構成において、外部メディアは、給紙段の意匠面に接続されていることを特徴とする。
第４の発明によれば、第１から第３の発明の作用に加えてさらに、外部メディアが給紙段の意匠面に接続されてあれば、給紙禁止命令の解除が視覚的に明確になるし、また、当該装置が例えば卓上に配置されていた場合には、外部メディアを容易に接続でき、この点もユーザの利便性向上に寄与する。
【００１４】
第５の発明は、対象給紙段からの給紙禁止命令が可能な画像形成装置のプログラムである。そして、プログラムは、装置のコンピュータに備えられており、コンピュータに、給紙禁止命令を解除するためのデータを有した外部メディアの接続を検知する手順と、データに沿って給紙禁止命令を解除し、解除された給紙段の用紙を用いて印刷処理を実行する手順とを実行させる。
【００１５】
第５の発明によれば、給紙禁止命令を解除するためのデータを外部メディアに保存しておき、この外部メディアを画像形成装置に接続すれば、このデータで画像形成装置の動作が可能になる。これにより、装置のユーザは、印刷時に、しかも複数の画像データから印刷物をそれぞれ得たい場合にも、この印刷の度に画像形成装置の操作パネルから給紙禁止命令を解除しなくて済むことから、従来に比してより一層速やかに印刷物を得ることができるし、また、従来の如くの解除コードをユーザに知らせる必要もないので、装置のセキュリティ管理に対する懸念もない。
【発明の効果】
【００１６】
本発明によれば、解除コードをユーザに知らせることなく、且つ、当該ユーザが印刷時に操作パネルから給紙禁止命令を解除しなくて済み、ユーザの利便性がさらに向上する画像形成装置及びプログラムを提供することができる。
【発明を実施するための最良の形態】
【００１７】
以下、本発明の好適な実施の形態を図面に基づいて説明する。
図１には、画像形成装置の一例であるプリンタ１の構造が概略的に示されている。同図に示された断面はプリンタ１の左側面からみたものである。このため、ユーザに対峙するプリンタ１の前面は同図中の右側に位置し、その背面は左側に位置する。
【００１８】
同図に示されるように、プリンタ１は装置本体２を有し、この装置本体２の下方には給紙カセット（給紙段）４が配置されている。
本実施例のカセット４は装置本体２の高さ方向に沿って計３段にて構成されており、各カセット４は収容部４０を有し、同図で見て収容部４０の右上方には給紙ローラ４６が設けられている。
【００１９】
また、このローラ４６の右方には用紙通路４７が装置本体２の高さ方向に沿って形成され、この通路４７の上端が装置本体２の内部に連通している。なお、この通路４７の適宜位置には搬送ローラ４８が設けられる。
各収容部４０には、枚葉の用紙、例えば上段にはＡ４版の普通紙が、中段にはＡ４版の再生紙が、下段にはＢ５版の普通紙が積層された状態でそれぞれ収納される。
【００２０】
そして、各用紙は、同図においてカセット４の右上方に向けて送出され、送出された用紙は、装置本体２の内部でプリンタ１の背面側へ向けて反転され、そのまま背面側に向けて搬送される。
また、このカセット４は、同図において右方向に向けて引き出し可能に構成されており、この引き出した状態にて、カセット４内に新たな用紙を補充したり、用紙を別の種類の用紙に入れ替え可能となる。
【００２１】
さらに、プリンタ１の前面には手差しトレイ（給紙段）６が設けられ、トレイ６は装置本体２に回動自在に支持されている。このトレイ６もまた、枚葉の用紙、例えばＡ４版の光沢紙を積層状態で収納可能であり、この用紙もプリンタ１の背面側に向けて搬送される。
装置本体２の内部には、カセット４や手差しトレイ６からの用紙搬送方向でみて下流側にフィードローラ１０、給紙側の用紙搬送路１２、レジストローラ１４、用紙搬送路２４、画像形成部１６及び転写部３０が順番に配置されている。
【００２２】
画像形成部１６には感光体ドラム１８が備えられている。また、この画像形成部１６の上方には露光部１５が備えられており、この露光部１５からは、図中に一点鎖線で示されているように、レーザ光Ｌがドラム１８に向けて照射される。
さらに、転写部３０には転写ローラ３１が備えられ、このローラ３１はドラム１８に対して下方から圧接可能に構成される。これらドラム１８と転写ローラ３１とは、トナーコンテナ２０及び現像器２１から供給されたトナーを用い、トナー画像を用紙に転写するためのニップ部を形成させる。
【００２３】
また、用紙搬送方向でみて転写部３０の下流側には、用紙搬送路２６、定着部３２、排紙側の用紙搬送路３４及び排紙トレイ３６が順番に配置されている。
この用紙搬送路３４は、定着部３２の下流からプリンタ１の背面に沿って上方へ延びており、さらに、装置本体２の上部位置にてプリンタ１の前面側へ屈曲されている。
【００２４】
本実施例では、上段のカセット４と転写部３０や定着部３２との間に両面印刷ユニット３８が形成されている。このユニット３８は、プリンタ１の背面に沿う位置にて用紙搬送路３４の途中から分岐して下方に向けて延び、次いで、プリンタ１の前面に向けて屈曲されて水平方向に延び、レジストローラ１４の上流側に連結している。
【００２５】
そして、プリンタ１が印刷を行う際は、各カセット４や手差しトレイ６のいずれかからの用紙が１枚ずつ分離して送出される。送出された用紙はレジストローラ１４に到達する。このローラ１４は、用紙の斜め送りを矯正しつつ、画像形成部１６で形成されるトナー画像との画像転写タイミングを計りながら、用紙を転写部３０へと送出する。
【００２６】
一方、図２に示される如く、入力ポート６０は、印刷の元になる画像データが外部から受信可能に構成されている。この画像データは、文字や符号、図形、記号、線図、模様等の各種の画像がデータ化されたものであり、このデータに基づき、プリンタ１では露光部１５によるレーザ光Ｌの照射が制御される。これにより、画像形成部１６においてドラム１８上に原稿画像の静電潜像が作られ、続いてこの静電潜像からドラム１８上にトナー画像が形成される。
【００２７】
このトナー画像は上記ニップ部にて用紙に転写される。その後、用紙は未定着トナー画像を担持した状態で定着部３２に向けて送られ、この定着部３２にて所定の温度に達した熱ローラで加圧され、トナー画像が定着される。次いで、定着部３２から送出された用紙は排出ローラ３５を介して排紙トレイ３６に排出され、高さ方向に積層される。
【００２８】
この片面印刷に対し、両面印刷を行う場合には、定着部３２から排出された用紙は、排出ローラ３５を用いてトレイ３６に排出される直前にてその搬送方向が切り替えられる。つまり、片面に印刷された用紙は装置本体２内に引き戻され、両面印刷ユニット３８に搬送される。続いて、この用紙はレジストローラ１４の上流側に向けて送出され、転写部３０に向けて再び送られる。これにより、用紙の未だ印刷がされていない方の面にトナー画像が転写される。
【００２９】
なお、プリンタ１の上面には操作部が設けられており、この操作部は、タッチ操作用のボタンの他、１行程度の文字情報等を表示可能な表示パネルを備えている。
ここで、上述した画像形成部１６等は装置本体２内のコントローラ（メインＥＣＵ）５０に電気的に接続されている。
【００３０】
このコントローラ５０はコンピュータとして機能する要素であり、ＣＰＵやメモリ等のハードウエア資源を有している。そして、コントローラ５０は、このハードウエア資源を用いて所定のプログラムを実行する。
ところで、本実施例のプリンタ１は、上記外部からの指示の他、例えばＵＳＢ等の規格に対応した外部メディアからの指示によっても動作する。
【００３１】
具体的には、図３に示されるように、上述した各カセット４は、プリンタ１の前面側、つまり、カセット４の正面には意匠面４１が設けられ、この意匠面４１の左右両端側には、プリンタ１の背面に向けて延びる側面部４２がそれぞれ形成されている。また、これら側面部４２はプリンタ１の背面側にて端面部４３で連結されており、これら意匠面４１、側面部４２及び端面部４３で区画された収容部４０内に用紙が収納される。
【００３２】
また、この側面部４２の近傍の適宜位置には、幅合わせ部材４４が設けられ、当該部材４４は、用紙の大きさに応じてプリンタ１の左右方向に沿って摺動可能に構成されている。
そして、本実施例の意匠面４１の適宜位置には、矩形状のソケット（接続部）４５が形成されており、外部メディア９０をプリンタ１の正面側から背面側に向け移動させ、このソケット４５に外部メディア９０のプラグを挿し込むと、コントローラ５０を介してメディア９０とプリンタ１とが電気的に接続されるので、このメディア９０に保存されたデータでプリンタ１の動作が可能になる。
【００３３】
なお、上述した手差しトレイ６の意匠面、例えば用紙を載置した状態にて外部から視認可能な箇所にも、矩形状のソケット（接続部）が形成されている。そして、当該ソケットに外部メディア９０のプラグを挿し込めば、コントローラ５０を介してメディア９０とプリンタ１とが電気的に接続され、このメディア９０に保存されたデータでプリンタ１の動作が可能になる。
【００３４】
より詳しくは、本実施例の外部メディア９０は、カセットロック機能の解除データ、つまり、上述した３つのカセット４や１つの手差しトレイ６のうち、コントローラ５０で予め設定された給紙禁止命令を解除するためのデータを有している。このデータは、特定のフォーマットにて記述した後述の認証ＩＤで構成されており、ファイルに保存されている。なお、当該メディア９０は、例えば半導体メモリ等のストレージデバイスであり、複数個の上記ファイルやプログラムが保存可能である。
【００３５】
一方、コントローラ５０はメディア検知部（メディア検知手段）５２を有している（図２）。この検知部５２は、プリンタ１と外部メディア９０との接続を検知しており、メディア９０の接続を検知すると、その信号をデータ使用判定部５４に出力している。
この判定部５４は、このメディア９０のデータをプリンタ１で使用できるか否かを判定しており、その判定結果を示す信号を処理実行部（処理実行手段）５６に出力する。
【００３６】
そして、この処理実行部５６が、この使用可能と判定されたデータに沿ってカセットロック機能を解除し、さらに、この解除されたカセット４やトレイ６のいずれかの用紙を用いて外部からの画像データの印刷処理を実行する。
なお、この外部からの画像データの他、メディア９０内に保存していた画像データの印刷処理を実行しても良い。
【００３７】
具体的には、図４や図５は、プログラムがコントローラ５０に実行させる処理を示しており、以下、上記の如く構成されたプリンタ１の本発明に係る作用について説明する。
ここで、本実施例では、上段のカセット４及び手差しトレイ６からの給紙禁止命令が維持されている場合を想定する。つまり、この状態では、上段のカセット４からの普通紙を用いた印刷や、手差しトレイ６からの光沢紙を用いた印刷がいずれも禁止されている。
【００３８】
そして、上記解除データを有したメディア９０がプリンタ１、例えば、上段のカセット４のソケット４５に挿し込まれると、以下の如く処理される。
図４のステップＳ４０１では、メディア検知部５２が、上段のカセット４とメディア９０とが接続されているか否かを判別し、メディア９０を認識した場合、すなわち、ＹＥＳと判定したときにはステップＳ４０２に進み、データ使用判定部５４がメディア９０のデータを当該プリンタ１で使用できるか否かを判別する。
【００３９】
具体的には、このステップＳ４０２では、データ使用判定部５４が、まず、ファイルがメディア９０に存在するか否かを判別する。そして、例えば上記解除データを記述したファイルが存在している場合、すなわち、ＹＥＳと判定したときにはステップＳ４０３に進み、コントローラ５０のメモリに記憶されたプリンタ１の固有ＩＤを確認してステップＳ４０４に進む。
【００４０】
このステップＳ４０４では、データ使用判定部５４が、次いで、選択データの使用の是非、例えば、メディア９０の認証ＩＤが正規のＩＤであるか否かを判別する。そして、メディア９０の認証ＩＤと、プリンタ１の固有ＩＤとを比較した結果、当該認証ＩＤが正規のＩＤであると認められ、上記ファイルが当該プリンタ１で使用できる場合、すなわち、ＹＥＳと判定したときにはステップＳ４０５に進む。
【００４１】
なお、上記ステップＳ４０１で例えば接続不良等でメディア９０を認識しない場合、上記ステップＳ４０２でファイルがメディア９０に存在しない場合、或いは、上記ステップＳ４０４でメディア９０の認証ＩＤが正規のＩＤであると認められない場合には、直ちに一連のルーチンを抜ける。
一方、ステップＳ４０５では、処理実行部５６が上段のカセット４に対するカセットロック機能を解除して一連のルーチンを抜ける。
【００４２】
つまり、この場合には、上段のカセット４に対するカセットロック機能が既に解除されているので、その後、Ａ４版の普通紙を指定した画像データが入力ポート６０で受信されると、この上段のカセット４の用紙を用いて印刷される。
なお、上記解除データを有したメディア９０が手差しトレイ６のソケットに挿し込まれた場合にも同様に、メディア検知部５２やデータ使用判定部５４による判断を経て、処理実行部５６が手差しトレイ６に対するカセットロック機能を解除し、その後、Ａ４版の光沢紙を指定した画像データが入力ポート６０で受信されると、手差しトレイ６の用紙を用いて印刷される。
【００４３】
ところで、上段のカセット４及び手差しトレイ６からの給紙禁止命令が維持されており、外部メディア９０をプリンタ１に接続する前に、Ａ４版の普通紙を指定した画像データが入力ポート６０で受信された場合には、以下のように処理される。
すなわち、図５のＳ５０１では、コントローラ５０が上段のカセット４を選択し、次いで、ステップＳ５０２では、上段のカセット４に対する給紙禁止命令を発令したか否かを判断する。
【００４４】
そして、コントローラ５０が、上段のカセット４に対する給紙禁止命令を発令した場合、すなわちＹＥＳと判定したときにはステップＳ５０３に進み、当該上段のカセット４に対するカセットロック機能の解除を認識するまで、上段のカセット４からの送出停止状態（送出エラー）になる。当該状態は、上記操作部のランプの点灯やブザーの鳴動にてユーザに知らせることが可能である。
【００４５】
ここで、この送出停止状態、換言すれば、給紙禁止命令の発令があった（ステップＳ５０２）、及び当該給紙禁止命令の解除がない（ステップＳ５０３）を繰り返している間に、例えば、上記解除データを有したメディア９０が上段のカセット４のソケット４５に挿し込まれると、このステップＳ５０３では、メディア検知部５２やデータ使用判定部５４による判断が行われる。
【００４６】
続いて、処理実行部５６が上段のカセット４に対するカセットロック機能を解除した場合には、ステップＳ５０３にて、コントローラ５０は当該カセットロック機能の解除を認識してステップＳ５０４に進む。これにより、この上段のカセット４の用紙を用いて印刷され、一連のルーチンを抜ける。このように、上述したカセットロック機能の解除データは、送出エラーを解消するためのデータとしても機能するのである。
【００４７】
以上のように、本実施例によれば、プリンタ１によるカセットロック機能を解除するが、この解除は外部メディア９０の接続に応じて行われる。
詳しくは、この外部メディア９０は、カセットロック機能を解除するための解除データを有しており、メディア検知部５２がメディア９０の接続を検知する。そして、処理実行部５６が、このデータに沿ってカセットロック機能を解除し、解除されたカセット４や手差しトレイ６のいずれかの用紙を用いて画像データの印刷処理を実行する。
【００４８】
このように、カセットロック機能を解除するための解除データを外部メディア９０に保存しておき、このメディア９０をプリンタ１に接続すれば、このデータでプリンタ１の動作が可能になる。
これにより、プリンタ１のユーザは、印刷時に、しかも複数の画像データから印刷物をそれぞれ得たい場合にも、この印刷の度にプリンタ１の操作部からカセットロック機能を解除しなくて済むので、従来に比してより一層速やかに印刷物を得ることができ、ユーザの利便性がさらに向上する。
【００４９】
また、従来の如く認証ＩＤをユーザに知らせる必要もないので、プリンタ１のセキュリティ管理に対する懸念もない。
さらに、このメディア９０を給紙禁止命令が維持されているカセット４のソケット４５やトレイ６のソケット挿し込むことにより、このカセット４やトレイ６に対する給紙禁止命令が解除されるので、処理実行部５６は印刷処理を速やかに実行できる。
【００５０】
さらに、この解除データが、用紙の送出エラーを解消するためのデータとしても機能する。よって、このメディア９０をプリンタ１に接続すれば、カセットロック機能の解除と同時に、送出エラーも解消されるので、処理実行部５６は画像データの印刷処理を速やかに再開できる。
さらにまた、外部メディア９０がカセット４の意匠面４１やトレイ６の意匠面に接続されていれば、カセットロック機能の解除が視覚的に明確になるし、また、プリンタ１が例えば卓上に配置されていた場合には、外部メディア９０を容易に接続でき、この点もユーザの利便性向上に寄与する。
【００５１】
本発明は、上記各実施例に限定されず、特許請求の範囲を逸脱しない範囲で種々の変更を行うことができる。例えば上記実施例の各構成は、その一部を省略したり、上記とは異なるように任意に組み合わせることができる。
また、上記実施例では画像形成装置をプリンタに具現した例を示しているが、本発明の画像形成装置は、プリンタの他、複合機等にも当然に適用可能である。
【図面の簡単な説明】
【００５２】
【図１】本実施例に係るプリンタを概略的に示した垂直断面図である。
【図２】図１のプリンタのコントローラを含めた概略構成図である。
【図３】図１の給紙カセットの斜視図である。
【図４】図２のコントローラによるロック解除制御のフローチャートである。
【図５】図２のコントローラによる印刷制御のフローチャートである。
【符号の説明】
【００５３】
１  プリンタ（画像形成装置）
４  給紙カセット（給紙段）
６  手差しトレイ（給紙段）
４１  意匠面
４５  ソケット（接続部）
５０  コントローラ（コンピュータ）
５２  メディア検知部（メディア検知手段）
５６  処理実行部（処理実行手段）
９０  外部メディア
【図１】
2009226666.tif 000003
【図２】
2009226666.tif 000004
【図３】
2009226666.tif 000005
【図４】
2009226666.tif 000006
【図５】
2009226666.tif 000007